(57)【特許請求の範囲】
【請求項１】
断路器及び接地開閉器を備えたガス絶縁開閉装置のインターロック機構であって、
前記ガス絶縁開閉装置の操作部において回動可能に備えられて前記断路器及び前記接地開閉器の操作ハンドルが接続可能な回転軸と、
前記操作ハンドルによる前記回転軸の一方向の回動により前記断路器が閉動作時に前記接地開閉器の閉動作を阻止する接地開閉器ロック機構と、
前記操作ハンドルによる前記回転軸の他方向の回動により前記接地開閉器が閉動作時に前記断路器の閉動作を阻止する断路器ロック機構と
を有し、
前記接地開閉器ロック機構は、
前記断路器の閉動作時に前記他方向の回動を阻止が可能な接地開閉器ロックピンと、
前記断路器の閉動作時に前記接地開閉器ロックピンの遮蔽が可能な接地開閉器ロックピンカバーと、
前記断路器の閉動作時に前記接地開閉器ロックピンの遮蔽の固定が可能な接地開閉器プランジャと、
断路器操作キーが挿入されると前記接地開閉器ロックピンの遮蔽の解除が可能に当該接地開閉器プランジャを引き込む断路器操作キー挿入部と、
前記一方向の回動により前記断路器が閉になると前記断路器操作キー挿入部からの前記接地開閉器プランジャの吐出を阻止する接地開閉器プランジャロックピンと
を有し、
前記断路器ロック機構は、
前記接地開閉器の閉動作時に前記一方向の回動を阻止が可能な断路器ロックピンと、
前記接地開閉器の閉動作時に前記断路器ロックピンの遮蔽が可能な断路器ロックピンカバーと、
前記接地開閉器の閉動作時に前記断路器ロックピンの遮蔽の固定が可能な断路器プランジャと、
接地開閉器操作キーが挿入されると前記断路器ロックピンの遮蔽の解除が可能に当該断路器プランジャを引き込む接地開閉器操作キー挿入部と、
前記他方向の回動により前記接地開閉器が閉になると前記断路器操作キー挿入部からの前記断路器プランジャの吐出を阻止する断路器プランジャロックピンと
を有することを特徴とするインターロック機構。
【請求項２】
前記回転軸の一端には、前記操作ハンドルが接続可能な操作プレートが備えられ、
前記操作ハンドルは、
前記操作プレートを介して前記回転軸の一端に接続可能な操作回転軸と、
前記操作プレートにおいて前記操作回転軸と並列に接続可能な回動棒と、
前記操作回転軸と前記回動棒を並列に連結する連結部と、
この連結部に接続されて前記操作回転軸を中心に前記回動棒を回動させる操作レバーと
を備えたことを特徴とする請求項１に記載のインターロック機構。
【請求項３】
前記操作部は、
前記接地開閉器ロック機構及び前記断路器ロック機構が具備される操作盤を有し、
この操作盤には、
前記操作回転軸が挿入される回転軸挿通口と、
前記回動棒が挿入されて当該回動棒の回動範囲を制限する回動棒挿通口と
が形成され、
前記操作盤は、
前記断路器及び前記接地開閉器の閉操作時に前記回転軸挿通口及び前記回動棒挿通口を開にするシャッターと、
このシャッターに立設されて前記断路器または前記接地開閉器の閉操作時に前記シャッターを回動させて前記回転軸挿通口及び前記回動棒挿通口を開にするシャッタレバーと
を有することを特徴とする請求項２に記載のインターロック機構。
【請求項４】
前記操作部には、前記シャッタレバーの可動域を制限するシャッタレバー挿通口が形成され、
前記シャッタレバー挿通口の一端に前記シャッタレバーが達すると前記回動棒挿通口において前記断路器を開閉する前記回動棒の可動域が確保され、
前記シャッタレバー挿通口の他端に前記シャッタレバーが達すると前記回動棒挿通口において前記接地開閉器を開閉する前記回動棒の可動域が確保されること
を特徴とする請求項３に記載のインターロック機構。
【請求項５】
前記接地開閉器ロックピンカバーは、前記接地開閉器ロックピンの遮蔽時に前記シャッタレバー挿通口の一端側部分を覆う挿通口一端部カバーを備え、
前記断路器ロックピンカバーは、前記断路器ロックピンの遮蔽時に前記シャッタレバー挿通口の他端側部分を覆う挿通口他端部カバーを備えたこと
を特徴とする請求項４に記載のインターロック機構。
【発明の詳細な説明】
【技術分野】
【０００１】
本発明は、ガス絶縁開閉装置のインターロック機構に関する。
【背景技術】
【０００２】
ガス絶縁開閉装置は、母線から分岐回路を開閉する断路器と、系統故障時に事故電流を遮断する遮断器、主回路を接地する接地開閉器とを備える。さらに、同装置には、安全性の観点から前記断路器が閉の際に前記接地開閉器の閉を阻止する一方で当該接地開閉器が閉の際すなわち接地操作時に当該断路器の閉を阻止するインターロックの機構が備えられる（特許文献１，２等）。同装置は、断路器の閉操作機構がインターロック機能を有しているので、異相電源の混触を防ぐことができる。
【先行技術文献】
【特許文献】
【０００３】
【特許文献１】実公平６−０１４３６７号公報
【特許文献２】特開平２−１９３５０６号公報
【発明の概要】
【発明が解決しようとする課題】
【０００４】
しかしながら、上述の従来のガス絶縁開閉装置は、接地開閉器の閉操作機構がインターロック機能を有していないので、当該装置の母線連絡盤経由での接地が可能であるが、活線接地を防ぐことができない。
【０００５】
以上の事情を鑑み、本発明は、ガス絶縁開閉装置の接地操作時に活線接地を防止することを課題とする。
【課題を解決するための手段】
【０００６】
そこで、本発明の一態様は、断路器及び接地開閉器を備えたガス絶縁開閉装置のインターロック機構であって、前記ガス絶縁開閉装置の操作部において回動可能に備えられて前記断路器及び前記接地開閉器の操作ハンドルが接続可能な回転軸と、前記操作ハンドルによる前記回転軸の一方向の回動により前記断路器が閉動作時に前記接地開閉器の閉動作を阻止する接地開閉器ロック機構と、前記操作ハンドルによる前記回転軸の他方向の回動により前記接地開閉器が閉動作時に前記断路器の閉動作を阻止する断路器ロック機構を有する。
【０００７】
本発明の一態様は、前記インターロック機構において、前記接地開閉器ロック機構は、前記断路器の閉動作時に前記他方向の回動を阻止が可能な接地開閉器ロックピンと、前記断路器の閉動作時に前記接地開閉器ロックピンの遮蔽が可能な接地開閉器ロックピンカバーと、前記断路器の閉動作時に前記接地開閉器ロックピンの遮蔽の固定が可能な接地開閉器プランジャと、断路器操作キーが挿入されると前記接地開閉器ロックピンの遮蔽の解除が可能に当該接地開閉器プランジャを引き込む断路器操作キー挿入部と、前記一方向の回動により前記断路器が閉になると前記断路器操作キー挿入部からの前記接地開閉器プランジャの吐出を阻止する接地開閉器プランジャロックピンとを有し、前記断路器ロック機構は、前記接地開閉器の閉動作時に前記一方向の回動を阻止が可能な断路器ロックピンと、前記接地開閉器の閉動作時に前記断路器ロックピンの遮蔽が可能な断路器ロックピンカバーと、前記接地開閉器の閉動作時に前記断路器ロックピンの遮蔽の固定が可能な断路器プランジャと、接地開閉器操作キーが挿入されると前記断路器ロックピンの遮蔽の解除が可能に当該断路器プランジャを引き込む接地開閉器操作キー挿入部と、前記他方向の回動により前記接地開閉器が閉になると前記断路器操作キー挿入部からの前記断路器プランジャの吐出を阻止する断路器プランジャロックピンを有する。
【０００８】
本発明の一態様は、前記インターロック機構において、前記回転軸の一端には、前記操作ハンドルが接続可能な操作プレートが備えられ、前記操作ハンドルは、前記操作プレートを介して前記回転軸の一端に接続可能な操作回転軸と、前記操作プレートにおいて前記操作回転軸と並列に接続可能な回動棒と、前記操作回転軸と前記回動棒を並列に連結する連結部と、この連結部に接続されて前記操作回転軸を中心に前記回動棒を回動させる操作レバーを備える。
【０００９】
本発明の一態様は、前記インターロック機構において、前記操作部は、前記接地開閉器ロック機構及び前記断路器ロック機構が具備される操作盤を有し、この操作盤には、前記操作回転軸が挿入される回転軸挿通口と、前記回動棒が挿入されて当該回動棒の回動範囲を制限する回動棒挿通口とが形成され、前記操作盤は、前記断路器及び前記接地開閉器の閉操作時に前記回転軸挿通口及び前記回動棒挿通口を開にするシャッターと、このシャッターに立設されて前記断路器または前記接地開閉器の閉操作時に前記シャッターを回動させて前記回転軸挿通口及び前記回動棒挿通口を開にするシャッタレバーを有する。
【００１０】
本発明の一態様は、前記インターロック機構において、前記操作部には、前記シャッタレバーの可動域を制限するシャッタレバー挿通口が形成され、前記シャッタレバー挿通口の一端に前記シャッタレバーが達すると前記回動棒挿通口において前記断路器を開閉する前記回動棒の可動域が確保され、前記シャッタレバー挿通口の他端に前記シャッタレバーが達すると前記回動棒挿通口において前記接地開閉器を開閉する前記回動棒の可動域が確保される。
【００１１】
本発明の一態様は、前記インターロック機構において、前記接地開閉器ロックピンカバーは、前記接地開閉器ロックピンの遮蔽時に前記操作盤のシャッタレバー挿通口の一端側部分を覆う挿通口一端部カバーを備え、前記断路器ロックピンカバーは、前記断路器ロックピンの遮蔽時に前記操作盤のシャッタレバー挿通口の他端側部分を覆う挿通口他端部カバーを備える。
【発明の効果】
【００１２】
以上の本発明によれば、ガス絶縁開閉装置の接地操作時に活線接地を防止できる。
【図面の簡単な説明】
【００１３】
【図１】本発明の一態様のインターロック機構が適用されたガス絶縁開閉装置の操作部の正面図。
【図２】前記操作部におけるシャッターの動作説明図。
【図３】前記絶縁ガス開閉装置のインターロック機構の動作説明図。
【発明を実施するための形態】
【００１４】
以下に図面を参照しながら本発明の実施形態について説明する。
【００１５】
図１に例示された本発明の一態様であるインターロック機構１は、例えば断路器（図示省略）及び接地開閉器（図示省略）を備えたガス絶縁開閉装置２に適用される。
【００１６】
（インターロック機構１）
インターロック機構１は、図１，３に示したように、操作ハンドル３、回転軸４、接地開閉器ロック機構５、断路器ロック機構６及び操作部７を備える。
【００１７】
回転軸４は、前記断路器及び前記接地開閉器の操作ハンドル３の操作により回動して前記断路器または前記接地開閉器を開閉させる。
【００１８】
接地開閉器ロック機構５は、操作ハンドル３による回転軸４の一方向の回動により前記断路器が閉動作時に前記接地開閉器の閉動作を阻止する。
【００１９】
断路器ロック機構６は、操作ハンドル３による回転軸４の他方向の回動により前記接地開閉器が閉動作時に前記断路器の閉動作を阻止する。
【００２０】
（操作ハンドル３）
操作ハンドル３は、操作回転軸３１、操作回動棒３２、連結部材３３及び操作レバー３４を備える。
【００２１】
操作回転軸３１は、図示省略の操作プレートを介して回転軸４の一端に接続可能である。
【００２２】
操作回動棒３２は、前記操作プレートにおいて操作回転軸３１と並列に接続可能である。
【００２３】
連結部材３３は、操作回転軸３１と操作回動棒３２を並列に連結する。
【００２４】
操作レバー３４は、連結部材３３に接続されて操作回転軸３１を中心に操作回動棒３２を回動させる。
【００２５】
（回転軸４）
回転軸４は、ガス絶縁開閉装置２の操作部７において、回動可能に備えられ、前記断路器及び前記接地開閉器の操作ハンドル３が接続可能である。
【００２６】
回転軸４の一端には、操作ハンドル３が接続可能な図示省略の操作プレートが具備されている。
【００２７】
回転軸４の他端付近には、図示省略の回動プレートが具備されている。
【００２８】
前記回動プレートには、接地開閉器ロックピン５１または断路器ロックピン６１と当接が可能な図示省略のピン当接部が立設されている。そして、前記回動プレートは、前記断路器及び前記接地開閉器が開のとき、前記ピン当接部が接地開閉器ロックピン５１と断路器ロックピン６１との間の位置となるように、回転軸４に具備される。
【００２９】
（接地開閉器ロック機構５）
接地開閉器ロック機構５は、接地開閉器ロックピン５１、接地開閉器ロックピンカバー５２、接地開閉器プランジャ５３、断路器操作キー挿入部５４及び接地開閉器プランジャロックピン５５を有する。
【００３０】
接地開閉器ロックピン５１は、前記断路器の閉動作時に、回転軸４のピン当接部との当接により、回転軸４の一方向の回動を阻止が可能である。接地開閉器ロックピン５１は、回転軸４の近辺にて、回転軸４及び断路器ロックピン６１と並列に配置され、前記阻止とその解除が可能に図示省略のバネにより挿入方向に付勢される。また、操作盤７０側の接地開閉器ロックピン５１の一端には、ユーザにより引っ張り操作される摘み５７が具備されている。
【００３１】
接地開閉器ロックピンカバー５２は、前記断路器の閉動作時に、接地開閉器ロックピン５１を遮蔽する。また、接地開閉器ロックピンカバー５２は、接地開閉器ロックピン５１の遮蔽時にシャッタレバー挿通口７５の一端側部分を覆う挿通口一端部カバー５８を備える。
【００３２】
接地開閉器プランジャ５３は、前記断路器の閉動作時に、接地開閉器ロックピンカバー５２による接地開閉器ロックピン５１の露出を阻止する。
【００３３】
断路器操作キー挿入部５４は、断路器操作キー１１が挿入されると、接地開閉器ロックピンカバー５２による接地開閉器ロックピン５１の露出が可能に、接地開閉器プランジャ５３を引き込む。
【００３４】
接地開閉器プランジャロックピン５５は、前記一方向の回転軸４の回動により前記断路器が閉になると、断路器操作キー挿入部５４からの接地開閉器プランジャ５３の吐出を阻止する。
【００３５】
（断路器ロック機構６）
断路器ロック機構６は、断路器ロックピン６１、断路器ロックピンカバー６２、断路器プランジャ６３、接地開閉器操作キー挿入部６４及び断路器プランジャロックピン６５を有する。
【００３６】
断路器ロックピン６１は、前記接地開閉器の閉動作時に、回転軸４のピン当接部との当接により、回転軸４の他方向の回動を阻止が可能である。断路器ロックピン６１は、回転軸４の近辺にて、回転軸４及び接地開閉器ロックピン５１と並列に配置され、前記阻止とその解除が可能に図示省略のバネにより挿入方向に付勢される。また、操作盤７０側の断路器ロックピン６１の一端には、ユーザにより引っ張り操作される摘み６７が具備されている。
【００３７】
断路器ロックピンカバー６２は、前記接地開閉器の閉動作時に断路器ロックピン６１を遮蔽する。また、断路器ロックピンカバー６２は、断路器ロックピン６１の遮蔽時にシャッタレバー挿通口７５の他端側部分を覆う挿通口他端部カバー６８を備える。
【００３８】
断路器プランジャ６３は、前記接地開閉器の閉動作時に、断路器ロックピンカバー６２による断路器ロックピン６１の露出を阻止する。
【００３９】
接地開閉器操作キー挿入部６４に接地開閉器操作キー１２が挿入されると、断路器ロックピンカバー６２が断路器ロックピン６１の露出が可能に、断路器プランジャ６３を引き込む。
【００４０】
断路器プランジャロックピン６５は、前記他方向の回転軸４の回動により前記接地開閉器が閉になると接地開閉器操作キー挿入部６４からの断路器プランジャ６３の吐出を阻止する。
【００４１】
（操作部７）
操作部７は、接地開閉器ロック機構５及び前記断路器ロック機構６が具備される操作盤７０を有する。
【００４２】
操作盤７０には、回転軸挿通口７１及び回動棒挿通口７２が形成されている。
【００４３】
回転軸挿通口７１は、操作ハンドル３の操作回転軸３１が挿通される。
【００４４】
回動棒挿通口７２は、操作ハンドル３の操作回動棒３２が挿通される円弧状を成し、操作回動棒３２の回動範囲を制限する。
【００４５】
また、操作盤７０は、シャッター７３及びシャッタレバー７４を有する。
【００４６】
シャッター７３は、前記断路器及び前記接地開閉器の閉操作時に回転軸挿通口７１及び回動棒挿通口７２を開にする。
【００４７】
シャッタレバー７４は、シャッター７３に立設されて前記断路器または前記接地開閉器の閉操作時にシャッター７３を回動させて回転軸挿通口７１及び回動棒挿通口７２を開にする。
【００４８】
さらに、操作盤７０には、図３に示したように、シャッタレバー７４の可動域を制限する円弧状のシャッタレバー挿通口７５が回転軸挿通口７１を介して回動棒挿通口７２と並列に配置されるように形成されている。このシャッタレバー挿通口７５の一端にシャッタレバー７４が達すると、回動棒挿通口７２において、前記断路器を開閉する操作回動棒３２の可動域が確保される。一方、シャッタレバー挿通口７５の他端にシャッタレバー７４が達すると、回動棒挿通口７２において、前記接地開閉器を開閉する操作回動棒３２の可動域が確保される。
【００４９】
また、操作盤７０には、接地開閉器ロックピン５１が挿通されるピン挿通口７６、さらには、断路器ロックピン６１が挿通されるピン挿通口７７が形成されている。
【００５０】
そして、このピン挿通口７６，７７に対応して、シャッター７３において、接地開閉器ロックピン５１及び断路器ロックピン６１が挿入される円弧状のピン挿通口７８が形成されている。
【００５１】
（接地開閉器リンク機構８）
接地開閉器リンク機構８は、操作回動棒３２が回動棒挿通口７２の一端（例えば、図２の方向Ｂ側）に達すると接地開閉器プランジャ５３の吐出を阻止する一方で回動棒挿通口７２の中央部位（同図の部位Ｓ）に達すると当該阻止の解除が可能に接地開閉器プランジャロックピン５５を動作させる。
【００５２】
接地開閉器リンク機構８は、接地開閉器リンク部材８１及び接地開閉器リンク案内部材８２を有する。
【００５３】
接地開閉器リンク部材８１は、回動棒挿通口７２の一端への操作回動棒３２の移動に伴い操作盤７０にて回動可能である。
【００５４】
接地開閉器リンク案内部材８２は、接地開閉器リンク部材８１の回動に伴い操作盤７０にて接地開閉器プランジャ５３に対して垂直に断路器プランジャロックピン６５と相反して往復動可能に接地開閉器プランジャロックピン５５を支持する。
【００５５】
（断路器リンク機構９）
断路器リンク機構９は、操作回動棒３２が回動棒挿通口７２の他端（例えば、図２の方向Ａ側）に達すると断路器プランジャ６３の吐出を阻止する一方で前記中央部位に達すると当該阻止の解除が可能に断路器プランジャロックピン６５を動作させる。
【００５６】
断路器リンク機構９は、断路器リンク部材９１及び断路器リンク案内部材９２を有する。
【００５７】
断路器リンク部材９１は、回動棒挿通口７２の他端への操作回動棒３２の移動に伴い操作盤７０にて回動可能である。
【００５８】
断路器リンク案内部材９２は、断路器リンク部材９１の回動に伴い操作盤７０にて断路器プランジャ６３に対して垂直に接地開閉器プランジャロックピン５５と相反して往復動可能に断路器プランジャロックピン６５を支持する。
【００５９】
図１〜３を参照してインターロック機構１の動作例について説明する。
【００６０】
（断路器の閉操作）
Ｓ１０１：断路器操作キー１１を断路器操作キー挿入部５４に挿入して一方向に回転させると、接地開閉器プランジャ５３が断路器操作キー挿入部５４に引き込まれると共に断路器操作キー１１が断路器操作キー挿入部５４に固定される（図３（ａ））。これにより、接地開閉器ロックピンカバー５２の回動が可能となり、操作盤７０において、接地開閉器ロックピン５１の露出が可能となる。
【００６１】
Ｓ１０２：接地開閉器ロックピンカバー５２を手前に回動すると、操作盤７０において、接地開閉器ロックピン５１と共にシャッタレバー挿通口７５の一端が露出する（同図（ｂ））。これにより、シャッタレバー７４がシャッタレバー挿通口７５の一端側（図２の方向Ａ）に回動可能となる。
【００６２】
Ｓ１０３：図３（ｃ）に示したようにシャッタレバー７４をシャッタレバー挿通口７５の一端側に移行させてシャッター７３を一方向（時計方向、図２の方向Ａ）に回動させると、シャッタレバー７４がシャッタレバー挿通口７５の一端に当接する。これにより、操作盤７０においては回転軸挿通口７１及び回動棒挿通口７２から操作プレートが露出する。
【００６３】
また、回動棒挿通口７２においては断路器を開閉する操作ハンドル３の操作回動棒３２の可動域が確保される。そして、回転軸挿通口７１及び回動棒挿通口７２から露出した操作プレートに対して、操作ハンドル３の操作回転軸３１、操作回動棒３２が各々接続される（図３（ｃ））。
【００６４】
Ｓ１０４：接地開閉器ロックピン５１の摘み５７を限界まで引っ張った状態で、操作ハンドル３の操作レバー３４の操作により操作回転軸３１を中心に操作回動棒３２を回動棒挿通口７２の一端側（図２の方向Ｂ）に回動させて断路器を閉に設定する（図３（ｄ））。このとき、回動棒挿通口７２の一端への操作回動棒３２の移動に伴い接地開閉器リンク部材８１が回動し、これに連動して接地開閉器プランジャロックピン５５が接地開閉器リンク案内部材８２により案内されて接地開閉器プランジャ５３の上部に移行する。その後、接地開閉器ロックピン５１の摘み５７を離すと、回転軸４は、ピン当接部と接地開閉器ロックピン５１と当接により、回動棒挿通口７２の他端側への回転が阻止される。
【００６５】
一方、断路器プランジャロックピン６５は接地開閉器リンク部材８１に連動する断路器リンク部材９１の回動に伴う断路器リンク案内部材９２の案内により接地開閉器プランジャロックピン５５と相反して移行する。
【００６６】
以上のように、断路器操作キー挿入部５４からの接地開閉器プランジャ５３の吐出が阻止され、断路器の閉（ＯＮ）操作の際に接地開閉器の閉（ＯＮ）の阻止が可能となる。
【００６７】
（接地開閉器の閉操作）
接地開閉器の操作手順は、断路器と同様であるが、以下に述べるように断路器操作キー１１に代えて接地開閉器操作キー１２が用いられる。
【００６８】
Ｓ２０１：接地開閉器操作キー１２を接地開閉器操作キー挿入部６４に挿入して一方向に回転させると、断路器プランジャ６３が接地開閉器操作キー挿入部６４に引き込まれると共に接地開閉器操作キー１２が接地開閉器操作キー挿入部６４に固定される（図３（ａ））。これにより、断路器ロックピンカバー６２の回動が可能となり、操作盤７０において、断路器ロックピン６１の露出が可能となる。
【００６９】
Ｓ２０２：断路器ロックピンカバー６２を手前に回動すると、操作盤７０において、断路器ロックピン６１と共にシャッタレバー挿通口７５の他端が露出する（同図（ｂ））。これにより、シャッタレバー７４がシャッタレバー挿通口７５の他端側に回動可能となる（図２の方向Ｂ）。
【００７０】
Ｓ２０３：図３（ｃ）に示したようにシャッタレバー７４をシャッタレバー挿通口７５の他端側に移行させてシャッター７３を他方向（反時計方向、図３の方向Ｂ）に回動させると、シャッタレバー７４がシャッタレバー挿通口７５の他端に当接する。これにより、操作盤７０においては回転軸挿通口７１及び回動棒挿通口７２から操作プレートが露出する。
【００７１】
また、回動棒挿通口７２においては接地開閉器を開閉する操作ハンドル３の操作回動棒３２の可動域が確保される。そして、回転軸挿通口７１及び回動棒挿通口７２から露出した操作プレートに対して、操作ハンドル３の操作回転軸３１、操作回動棒３２が各々接続される（図３（ｃ））。
【００７２】
Ｓ２０４：断路器ロックピン６１の摘み６７を限界まで引っ張った状態で、操作ハンドル３の操作レバー３４の操作により操作回転軸３１を中心に操作回動棒３２を回動棒挿通口７２の他端側（図２の方向Ａ）に回動させて接地開閉器を閉に設定する（図３（ｄ））。このとき、回動棒挿通口７２の他端への操作回動棒３２の移動に伴い断路器リンク部材９１が回動し、これに連動して断路器プランジャロックピン６５が断路器リンク案内部材９２により案内されて断路器プランジャ６３の上部に移行する。その後、断路器ロックピン６１の摘み６７を離すと、回転軸４は、前記ピン当接部と断路器ロックピン６１との当接により、回動棒挿通口７２の一端側への回転が阻止される。
【００７３】
一方、接地開閉器プランジャロックピン５５は断路器リンク部材９１に連動する接地開閉器リンク部材８１の回動に伴う接地開閉器リンク案内部材８２の案内により断路器プランジャロックピン６５と相反して移行する。
【００７４】
以上のように、接地開閉器操作キー挿入部６４からの断路器プランジャ６３の吐出が阻止され、接地開閉器の閉（ＯＮ）操作の際に断路器の閉（ＯＮ）の阻止が可能となる。
【００７５】
したがって、インターロック機構１によれば、断路器の操作においては、断路器操作キー挿入部５４に断路器操作キー１１が挿入されているときのみにその操作が可能となる。そして、断路器が閉（ＯＮ）の際に断路器操作キー挿入部５４からの断路器操作キー１１の取り外しが阻止される。
【００７６】
また、接地開閉器の操作においては、接地開閉器操作キー挿入部６４に接地開閉器操作キー１２が挿入されているときのみにその操作が可能となる。そして、接地開閉器が閉（ＯＮ）の際に接地開閉器操作キー挿入部６４からの接地開閉器操作キー１２の取り外しが阻止される。
【００７７】
以上のように本実施形態によれば、接地開閉器の操作機構においてインターロック機構１が構成されたことにより、ガス絶縁開閉装置２の接地操作時に活線接地を防止できる。
【符号の説明】
【００７８】
１…インターロック機構、１１…断路器操作キー、１２…接地開閉器操作キー
２…ガス絶縁開閉装置
３…操作ハンドル、３１…操作回転軸、３２…操作回動棒、３３…連結部材、３４…操作レバー
４…回転軸
５…接地開閉器ロック機構、５１…接地開閉器ロックピン、５２…接地開閉器ロックピンカバー、５３…接地開閉器プランジャ、５４…断路器操作キー挿入部、５５…接地開閉器プランジャロックピン、５７…摘み、５８…挿通口一端部カバー
６…断路器ロック機構、６１…断路器ロックピン、６２…断路器ロックピンカバー、６３…断路器プランジャ、６４…接地開閉器操作キー挿入部、６５…断路器プランジャロックピン、６７…摘み、６８…挿通口他端部カバー
７…操作部、７０…操作盤、７１…回転軸挿通口、７２…回動棒挿通口、７３…シャッター、７４…シャッタレバー、７５…シャッタレバー挿通口、７６，７７，７８…ピン挿通口
８…接地開閉器リンク機構、８１…接地開閉器リンク部材、８２…接地開閉器リンク案内部材
９…断路器リンク機構、９１…断路器リンク部材、９２…断路器リンク案内部材
【図１】
0006988951.tif 000002
【図２】
0006988951.tif 000003
【図３】
0006988951.tif 000004